(57)【特許請求の範囲】
【請求項１】
医療施設に入退館するアクターを管理する非接触入退館管理システムであって、
前記アクターのステータス情報及び認証情報を格納するデータベースが接続され、前記データベースへの前記ステータス情報及び認証情報の書き込み及び読み出しが可能なサーバと、
前記サーバにネットワークを介して接続され且つ前記医療施設内へ入退館する前記アクターを非接触で認証する入退館管理装置と、
を備え、
前記ステータス情報には、入館中または退館済のステータス情報が含まれ、
前記入館中とは、前記アクターが前記医療施設内に入館している状態であり、
前記退館済とは、前記アクターが前記医療施設外に退館している状態であり、
前記認証情報には、前記アクターの固有情報が含まれ、
前記入退館管理装置は、
前記サーバとデータを送受信する送受信部、
前記アクターの認証データを非接触に取得し前記サーバに送信する非接触認証データ取得部、
前記アクターが前記医療施設内に入館する際に、前記アクターが携帯可能且つ前記医療施設内に配置された複数の送受信機と無線通信が可能な無線通信デバイスを、排出する排出部、並びに
前記アクターが前記医療施設を退館する際に、前記無線通信デバイスを回収する回収部、
を備え、
前記無線通信デバイスは、前記無線通信デバイスの識別番号を格納するためのメモリと、無線ネットワークを介して前記識別番号を送信する送信手段とを備え、
前記非接触認証データ取得部から送信された前記アクターの認証データと、前記データベースに予め格納されている前記アクターの固有情報との一致を確認する処理、
前記一致を確認した場合、前記データベース中の前記固有情報と前記識別番号とを紐づけて、前記紐づけられた無線通信デバイスを前記入退館管理装置の排出部から排出させ、前記一致を確認できない場合、前記無線通信デバイスの排出を行わない処理、
前記一致を確認した場合または前記無線通信デバイスを前記入退館管理装置の排出部から排出した場合、前記データベース中の前記アクターのステータス情報を退館済から入館中に変更する処理、
前記回収部に前記無線通信デバイスが回収されたことを確認すると、前記データベースに格納されている前記アクターのステータスを入館中から退館済に変更する処理、並びに
前記データベースに格納されている前記アクターの前記入館中及び前記退館済のステータス情報が変更された日付及び時刻を、前記データベースに格納する処理、
を前記サーバに実行させる、
非接触入退館管理システム。
【請求項２】
前記アクターの固有情報には、次の（Ａ）〜（Ｊ）：
（Ａ）前記アクターに付与されるＩＤ、
（Ｂ）前記アクターのメールアドレス、ＳＮＳアドレス、またはそれらの組み合わせ、
（Ｃ）前記アクターの電話番号、
（Ｄ）前記アクターの氏名、
（Ｅ）前記アクターの生年月日、
（Ｆ）前記アクターの住所、
（Ｇ）前記アクターの顔、指紋、静脈、虹彩、またはそれらの組み合わせの生体情報、
（Ｈ）前記アクターの電子カルテ番号
（Ｉ）前記アクターの保険証番号、並びに
（Ｊ）前記アクターのマイナンバー
からなる群から選択される少なくとも一つが含まれる、請求項１に記載の非接触入退館管理システム。
【請求項３】
前記非接触認証データ取得部は、
前記アクターの情報端末が前記サーバから予め受信した前記アクターの固有情報に紐付けられる情報コードを非接触で読み取り、読み取られる情報コードに紐付けられる前記アクターの固有情報を前記サーバに送信する情報コードリーダ、
前記アクターの顔、指紋、静脈、虹彩、またはそれらの組み合わせの生体認証データを非接触で取り込むカメラを備え、取り込まれる生体認証データを前記サーバに送信する生体認証データ取得部、
前記アクターの固有情報を非接触で入力可能な非接触タッチパネルを備え、入力される固有情報を前記サーバに送信する固有情報入力部、及び
前記アクターの固有情報を音認識で入力可能なマイクを備え、音入力される固有情報を前記サーバに送信する音情報入力部
からなる群から選択される少なくとも一つを含む、請求項１または２に記載の非接触入退館管理システム。
【請求項４】
前記入退館管理装置が、前記無線通信デバイスを殺菌処理及びウイルス除去処理する殺菌ウイルス除去部を備え、
前記回収部が前記無線通信デバイスを回収すると、前記殺菌ウイルス除去部が前記無線通信デバイスを殺菌処理及びウイルス除去処理する、
請求項１〜３のいずれか一項に記載の非接触入退館管理システム。
【請求項５】
前記無線通信デバイスがブザーを備え、
前記サーバが前記無線通信デバイスが前記医療施設から所定の距離離れたと判断したとき、または前記サーバの入力部に前記無線通信デバイスのブザーを鳴らす命令を入力したとき、前記ブザーを鳴らす処理を前記サーバが実行する、
請求項１〜４のいずれか一項に記載の非接触入退館管理システム。
【請求項６】
前記入退館管理装置が、前記アクターの体温を測定し測定した体温データを出力可能な、前記サーバとネットワークで接続されたサーモグラフィーカメラを備え、
前記出力された体温データに基づき、前記アクターの体温が所定値以下であるか判断する処理、及び
前記所定値以下と判断したときに、前記入退館管理装置に前記無線通信デバイスを排出させる処理
を前記サーバに実行させる、
請求項１〜５のいずれか一項に記載の非接触入退館管理システム。
【請求項７】
前記入退館管理装置が、前記サーバとネットワークで接続され且つ前記医療施設の出入り口に配置されたセキュリティゲートを備え、
前記サーバが、前記無線通信デバイスを前記入退館管理装置の排出部から排出させる処理、及び前記セキュリティゲートを開く処理を実行する、
請求項１〜６のいずれか一項に記載の非接触入退館管理システム。
【請求項８】
前記セキュリティゲートが無線通信デバイス識別部を備え、
前記無線通信デバイス識別部が前記排出された無線通信デバイスを識別すると、前記セキュリティゲートが開く、
請求項７に記載の非接触入退館管理システム。
【請求項９】
前記サーバが、前記非接触認証データ取得部から送信された前記アクターの認証データと、前記データベースに格納されている前記アクターの固有情報との一致を確認する処理、前記データベース中の前記固有情報と前記識別番号とを紐づけて、前記識別番号が紐づけられた無線通信デバイスを前記入退館管理装置の排出部から排出させる処理を行い、さらに前記セキュリティゲートが開いたことを認識すると、前記データベース中の前記アクターのステータス情報を退館済から入館中に変更する処理を実行する、
請求項７または８に記載の非接触入退館管理システム。
【請求項１０】
前記入退館管理装置が、前記アクターの体温を測定し測定した体温データを出力可能な、前記サーバとネットワークで接続されたサーモグラフィーカメラを備え、
前記出力された体温データに基づき、前記アクターの体温が所定値以下であるか判断する処理、及び
前記所定値以下と判断したときに、前記セキュリティゲートを開く処理
を前記サーバに実行させる、請求項７〜９のいずれか一項に記載の非接触入退館管理システム。
【請求項１１】
前記サーバが、前記回収部に前記無線通信デバイスが回収されたことを確認すると、前記セキュリティゲートを開く処理を実行する、請求項７〜１０のいずれか一項に記載の非接触入退館管理システム。
【請求項１２】
前記非接触入退館管理システムが、前記医療施設内に配置され且つ前記無線通信デバイスと無線通信可能であり前記サーバとネットワークを介して接続された複数の送受信機を備え、
前記サーバが、前記複数の送受信機の少なくとも一つが無線ネットワークを介して前記無線通信デバイスから受信した前記識別番号及び前記受信した送受信機の位置情報に紐付く送受信機ＩＤを、前記送受信機から受信して、前記アクターの位置情報並びに日付及び時刻を前記データベースに記録する、
請求項１〜１１のいずれか一項に記載の非接触入退館管理システム。
【請求項１３】
３つ以上の送受信機が無線ネットワークを介して無線通信デバイスから同時に前記識別番号を受信し、前記サーバが、前記３つ以上の送受信機の位置情報と前記無線通信デバイスからの受信強度とから前記無線通信デバイスの位置情報を算出し、算出した位置情報並びに日付及び時刻を前記データベースに記録する、請求項１２に記載の非接触入退館管理システム。
【請求項１４】
前記医療施設内で前記アクターから感染者が発生し、前記感染者の固有情報が特定されたとき、前記特定された固有情報に基づいて、前記感染者の位置情報並びに日付及び時刻を前記データベースから取得する処理と、
前記取得した位置情報並びに日付及び時刻に基づいて、前記感染者と所定距離内で所定時間以上に滞在した別のアクターを前記データベースの中から抽出し、前記抽出した別のアクターを濃厚接触者として特定する処理と
を前記サーバに実行させる
請求項１２または１３に記載の非接触入退館管理システム。
【請求項１５】
前記感染者からの距離、前記所定距離内に位置した時間、及び前記特定された濃厚接触者の感染有無についての検査結果のデータに基づいて、感染有無と、感染者からの距離及び所定距離内に位置した時間との関係の算出処理を前記サーバに実行させる、請求項１４に記載の非接触入退館管理システム。
【請求項１６】
前記サーバが、前記濃厚接触者の情報端末に濃厚接触したことを通知する、請求項１４または１５に記載の非接触入退館管理システム。
【請求項１７】
前記送受信機が医療施設の病室の内部に配置されており、病室の内部に配置された送受信機が無線通信デバイスを認証すると、病室のドアのロックを解除する処理をサーバに実行させる、請求項１〜１６のいずれか一項に記載の非接触入退館管理システム。
【請求項１８】
前記無線通信デバイスが、前記無線通信デバイスの動きにより生じる加速度を検出して加速度データを出力する加速度センサを備え、
前記加速度センサが出力した加速度データと、前記加速度データを出力した送受信機の位置情報とを、前記送受信機から受信する処理と、
前記加速度データ及び位置情報に基づいて前記アクターの無線通信デバイスの携行有無を判断する処理と、
を前記サーバに実行させる、
請求項１〜１７のいずれか一項に記載の非接触入退館管理システム。
【請求項１９】
前記加速度データに基づいて前記アクターの転倒有無を判断する処理と、
転倒と判断した場合に、前記アクターの認証情報及び転倒場所を、前記医療施設の職員に通知する処理と、
を前記サーバに実行させる、
請求項１８に記載の非接触入退館管理システム。
【請求項２０】
医療施設に入退館するアクターを管理する非接触入退館管理システムにおけるサーバであって、
前記アクターのステータス情報及び認証情報を格納するデータベースが接続され、
前記医療施設内へ入退館する前記アクターを非接触で認証する入退館管理装置とネットワークを介して接続され、
前記データベースへの前記ステータス情報及び認証情報の書き込み及び読み出し手段と、
前記入退館管理装置の非接触認証データ取得部から送信された前記アクターの認証データと、前記データベースに予め格納されている前記アクターの固有情報との一致を確認する処理手段と、
前記一致を確認した場合、前記データベース中の前記固有情報と無線通信デバイスの識別番号とを紐づけて、前記紐づけられた無線通信デバイスを前記入退館管理装置の排出部から排出させ、前記一致を確認できない場合、前記無線通信デバイスの排出を行わない処理手段と、
前記一致を確認した場合または前記無線通信デバイスを前記入退館管理装置の排出部から排出した場合、前記データベース中の前記アクターのステータス情報を退館済から入館中に変更する処理手段と、
前記入退館管理装置の回収部に前記無線通信デバイスが回収されたことを確認すると、前記データベースに格納されている前記アクターのステータスを入館中から退館済に変更する処理手段と、
前記データベースに格納されている前記アクターの前記入館中及び前記退館済のステータス情報が変更された日付及び時刻を、前記データベースに格納する処理手段と、
を備える、サーバ。
【請求項２１】
医療施設に入退館するアクターを管理する非接触入退館管理システムにおけるサーバに、
前記サーバに接続されたデータベースへの前記アクターのステータス情報及び認証情報の書き込み及び読み出し処理と、
ネットワーク１を介して接続された入退館管理装置の非接触認証データ取得部から送信された前記アクターの認証データと、前記データベースに予め格納されている前記アクターの固有情報との一致を確認する処理と、
前記一致を確認した場合、前記データベース中の前記固有情報と無線通信デバイスの識別番号とを紐づけて、前記紐づけられた無線通信デバイスを前記入退館管理装置の排出部から排出させ、前記一致を確認できない場合、前記無線通信デバイスの排出を行わない処理と、
前記一致を確認した場合または前記無線通信デバイスを前記入退館管理装置の排出部から排出した場合、前記データベース中の前記アクターのステータス情報を退館済から入館中に変更する処理と、
前記入退館管理装置の回収部に前記無線通信デバイスが回収されたことを確認すると、前記データベースに格納されている前記アクターのステータスを入館中から退館済に変更する処理と、
前記データベースに格納されている前記アクターの前記入館中及び前記退館済のステータス情報が変更された日付及び時刻を、前記データベースに格納する処理と、
を実行させる、プログラム。
【発明の詳細な説明】
【技術分野】
【０００１】
本発明は、医療施設における非接触入退館管理システム、サーバ、プログラム、及び入退館管理装置に関する。
【背景技術】
【０００２】
医療施設では、医師、看護師、医療スタッフ、入院患者、外来患者、入院患者の見舞客、外部業者、医療関係者など多種多様の多数の人が院内を移動し、それらの人が接触する機会が多い。そうした多種多様で多数の人が医療施設内でそれぞれが接触する機会が多く、細菌、ウイルス等を保有している人に、その他の人が接触すると、感染する恐れがある。特に医療施設内には、免疫力が低下している患者が存在することから、その可能性は通常の施設以上に施設内感染の可能性が高い。
【０００３】
このような院内感染の対策として、例えば、入院患者、医師、看護婦等の感染状況を検査し、指定した菌種の保菌者の院内分布を把握できるようにする方法が提案されている（特許文献１）。
【０００４】
また、院内感染を防止するために、医療施設を複数のバリアゾーンに分けて、ゾーンを通過した通過者を記録し、感染者が発生した場合は、ゾーン通過記録から二次感染の可能性のある人を想定する方法が提案されている（特許文献２）
【先行技術文献】
【特許文献】
【０００５】
【特許文献１】特開平７−７９９２９号公報
【特許文献２】特開２００３−６３４２号公報
【発明の概要】
【発明が解決しようとする課題】
【０００６】
しかしながら、依然として院内感染が発生することがあり、医療施設内での感染を従来よりも防止する方法が求められている。
【課題を解決するための手段】
【０００７】
本発明の要旨は以下のとおりである。
（１）医療施設に入退館するアクターを管理する非接触入退館管理システムであって、
前記アクターのステータス情報及び認証情報を格納するデータベースが接続され、前記データベースへの前記ステータス情報及び認証情報の書き込み及び読み出しが可能なサーバと、
前記サーバにネットワークを介して接続され且つ前記医療施設内へ入退館する前記アクターを非接触で認証する入退館管理装置と、
を備え、
前記ステータス情報には、入館中または退館済のステータス情報が含まれ、
前記入館中とは、前記アクターが前記医療施設内に入館している状態であり、
前記退館済とは、前記アクターが前記医療施設外に退館している状態であり、
前記認証情報には、前記アクターの固有情報が含まれ、
前記入退館管理装置は、
前記サーバとデータを送受信する送受信部、
前記アクターの認証データを非接触に取得し前記サーバに送信する非接触認証データ取得部、
前記アクターが前記医療施設内に入館する際に、前記アクターが携帯可能且つ前記医療施設内に配置された複数の送受信機と無線通信が可能な無線通信デバイスを、排出する排出部、並びに
前記アクターが前記医療施設を退館する際に、前記無線通信デバイスを回収する回収部、
を備え、
前記無線通信デバイスは、前記無線通信デバイスの識別番号を格納するためのメモリと、無線ネットワークを介して前記識別番号を送信する送信手段とを備え、
前記非接触認証データ取得部から送信された前記アクターの認証データと、前記データベースに予め格納されている前記アクターの固有情報との一致を確認する処理、
前記一致を確認した後、前記データベース中の前記固有情報と前記識別番号とを紐づけて、前記紐づけられた無線通信デバイスを前記入退館管理装置の排出部から排出させる処理、
前記データベース中の前記アクターのステータス情報を退館済から入館中に変更する処理、
前記回収部に前記無線通信デバイスが回収されたことを確認すると、前記データベースに格納されている前記アクターのステータスを入館中から退館済に変更する処理、並びに
前記データベースに格納されている前記アクターの前記入館中及び前記退館済のステータス情報が変更された日付及び時刻を、前記データベースに格納する処理、
を前記サーバに実行させる、
非接触入退館管理システム。
（２）前記アクターの固有情報には、次の（Ａ）〜（Ｊ）：
（Ａ）前記アクターに付与されるＩＤ、
（Ｂ）前記アクターのメールアドレス、ＳＮＳアドレス、またはそれらの組み合わせ、
（Ｃ）前記アクターの電話番号、
（Ｄ）前記アクターの氏名、
（Ｅ）前記アクターの生年月日、
（Ｆ）前記アクターの住所、
（Ｇ）前記アクターの顔、指紋、静脈、虹彩、またはそれらの組み合わせの生体情報、
（Ｈ）前記アクターの電子カルテ番号
（Ｉ）前記アクターの保険証番号、並びに
（Ｊ）前記アクターのマイナンバー
からなる群から選択される少なくとも一つが含まれる、上記（１）に記載の非接触入退館管理システム。
（３）前記非接触認証データ取得部は、
前記アクターの情報端末が前記サーバから予め受信した前記アクターの固有情報に紐付けられる情報コードを非接触で読み取り、読み取られる情報コードに紐付けられる前記アクターの固有情報を前記サーバに送信する情報コードリーダ、
前記アクターの顔、指紋、静脈、虹彩、またはそれらの組み合わせの生体認証データを非接触で取り込むカメラを備え、取り込まれる生体認証データを前記サーバに送信する生体認証データ取得部、
前記アクターの固有情報を非接触で入力可能な非接触タッチパネルを備え、入力される固有情報を前記サーバに送信する固有情報入力部、及び
前記アクターの固有情報を音認識で入力可能なマイクを備え、音入力される固有情報を前記サーバに送信する音情報入力部
からなる群から選択される少なくとも一つを含む、上記（１）または（２）に記載の非接触入退館管理システム。
（４）前記入退館管理装置が、前記無線通信デバイスを殺菌処理及びウイルス除去処理する殺菌ウイルス除去部を備え、
前記回収部が前記無線通信デバイスを回収すると、前記殺菌ウイルス除去部が前記無線通信デバイスを殺菌処理及びウイルス除去処理する、
上記（１）〜（３）のいずれかに記載の非接触入退館管理システム。
（５）前記無線通信デバイスがブザーを備え、
前記サーバが前記無線通信デバイスが前記医療施設から所定の距離離れたと判断したとき、または前記サーバの入力部に前記無線通信デバイスのブザーを鳴らす命令を入力したとき、前記ブザーを鳴らす処理を前記サーバが実行する、
上記（１）〜（４）のいずれかに記載の非接触入退館管理システム。
（６）前記入退館管理装置が、前記サーバとネットワークで接続され且つ前記医療施設の出入り口に配置されたセキュリティゲートを備え、
前記サーバが、前記無線通信デバイスを前記入退館管理装置の排出部から排出させる処理、及び前記セキュリティゲートを開く処理を実行する、
上記（１）〜（５）のいずれかに記載の非接触入退館管理システム。
（７）前記セキュリティゲートが無線通信デバイス識別部を備え、
前記無線通信デバイス識別部が前記排出された無線通信デバイスを識別すると、前記セキュリティゲートが開く、
上記（６）に記載の非接触入退館管理システム。
（８）前記サーバが、前記非接触認証データ取得部から送信された前記アクターの認証データと、前記データベースに格納されている前記アクターの固有情報との一致を確認する処理、前記データベース中の前記固有情報と前記識別番号とを紐づけて、前記識別番号が紐づけられた無線通信デバイスを前記入退館管理装置の排出部から排出させる処理を行い、さらに前記セキュリティゲートが開いたことを認識すると、前記データベース中の前記アクターのステータス情報を退館済から入館中に変更する処理を実行する、
上記（６）または（７）に記載の非接触入退館管理システム。
（９）前記入退館管理装置が、前記アクターの体温を測定し、測定した体温データを出力可能な、前記サーバとネットワークで接続されたサーモグラフィーカメラを備え、
前記出力された体温データに基づき、前記アクターの体温が所定値以下であるか判断する処理、及び
前記所定値以下と判断したときに、前記入退館管理装置に前記無線通信デバイスを排出させる処理
を前記サーバに実行させる、
上記（１）〜（８）のいずれかに記載の非接触入退館管理システム。
（１０）前記入退館管理装置が、前記アクターの体温を測定し、測定した体温データを出力可能な、前記サーバとネットワークで接続されたサーモグラフィーカメラを備え、
前記出力された体温データに基づき、前記アクターの体温が所定値以下であるか判断する処理、及び
前記所定値以下と判断したときに、前記セキュリティゲートを開く処理
を前記サーバに実行させる、上記（６）〜（９）のいずれかに記載の非接触入退館管理システム。
（１１）前記サーバが、前記回収部に前記無線通信デバイスが回収されたことを確認すると、前記セキュリティゲートを開く処理を実行する、上記（６）〜（１０）のいずれかに記載の非接触入退館管理システム。
（１２）前記非接触入退館管理システムが、前記医療施設内に配置され且つ前記無線通信デバイスと無線通信可能であり前記サーバとネットワークを介して接続された複数の送受信機を備え、
前記サーバが、前記複数の送受信機の少なくとも一つが無線ネットワークを介して前記無線通信デバイスから受信した前記識別番号及び前記受信した送受信機の位置情報に紐付く送受信機ＩＤを、前記送受信機から受信して、前記アクターの位置情報並びに日付及び時刻を前記データベースに記録する、
上記（１）〜（１１）のいずれかに記載の非接触入退館管理システム。
（１３）３つ以上の送受信機が無線ネットワークを介して無線通信デバイスから同時に前記識別番号を受信し、前記サーバが、前記３つ以上の送受信機の位置情報と前記無線通信デバイスからの受信強度とから前記無線通信デバイスの位置情報を算出し、算出した位置情報並びに日付及び時刻を前記データベースに記録する、上記（１２）に記載の非接触入退館管理システム。
（１４）前記医療施設内で前記アクターから感染者が発生し、前記感染者の固有情報が特定されたとき、前記特定された固有情報に基づいて、前記感染者の位置情報並びに日付及び時刻を前記データベースから取得する処理と、
前記取得した位置情報並びに日付及び時刻に基づいて、前記感染者と所定距離内で所定時間以上に滞在した別のアクターを前記データベースの中から抽出し、前記抽出した別のアクターを濃厚接触者として特定する処理と
を前記サーバに実行させる
上記（１２）または（１３）に記載の非接触入退館管理システム。
（１５）前記感染者からの距離、前記所定距離内に位置した時間、及び前記特定された濃厚接触者の感染有無についての検査結果のデータに基づいて、感染有無と、感染者からの距離及び所定距離内に位置した時間との関係の算出処理を前記サーバに実行させる、上記（１４）に記載の非接触入退館管理システム。
（１６）前記サーバが、前記濃厚接触者の情報端末に濃厚接触したことを通知する、上記（１４）または（１５）に記載の非接触入退館管理システム。
（１７）前記送受信機が医療施設の病室の内部に配置されており、病室の内部に配置された送受信機が無線通信デバイスを認証すると、病室のドアのロックを解除する処理をサーバに実行させる、上記（１）〜（１６）のいずれかに記載の非接触入退館管理システム。
（１８）前記無線通信デバイスが、前記無線通信デバイスの動きにより生じる加速度を検出して加速度データを出力する加速度センサを備え、
前記加速度センサが出力した加速度データと、前記加速度データを出力した送受信機の位置情報とを、前記送受信機から受信する処理と、
前記加速度データ及び位置情報に基づいて前記アクターの無線通信デバイスの携行有無を判断する処理と、
を前記サーバに実行させる、
上記（１）〜（１７）のいずれかに記載の非接触入退館管理システム。
（１９）前記加速度データに基づいて前記アクターの転倒有無を判断する処理と、
転倒と判断した場合に、前記アクターの認証情報及び転倒場所を、前記医療施設の職員に通知する処理と、
を前記サーバに実行させる、
上記（１８）に記載の非接触入退館管理システム。
（２０）医療施設に入退館するアクターを管理する非接触入退館管理システムにおけるサーバであって、
前記アクターのステータス情報及び認証情報を格納するデータベースが接続され、
前記医療施設内へ入退館する前記アクターを非接触で認証する入退館管理装置とネットワークを介して接続され、
前記データベースへの前記ステータス情報及び認証情報の書き込み及び読み出し手段と、
前記入退館管理装置の非接触認証データ取得部から送信された前記アクターの認証データと、前記データベースに予め格納されている前記アクターの固有情報との一致を確認する処理手段と、
前記一致を確認した後、前記データベース中の前記固有情報と前記識別番号とを紐づけて、前記紐づけられた無線通信デバイスを前記入退館管理装置の排出部から排出させる処理手段と、
前記データベース中の前記アクターのステータス情報を退館済から入館中に変更する処理手段と、
前記回収部に前記無線通信デバイスが回収されたことを確認すると、前記データベースに格納されている前記アクターのステータスを入館中から退館済に変更する処理手段と、
前記データベースに格納されている前記アクターの前記入館中及び前記退館済のステータス情報が変更された日付及び時刻を、前記データベースに格納する処理手段と、
を備える、サーバ。
（２１）医療施設に入退館するアクターを管理する非接触入退館管理システムにおけるサーバに、
前記サーバに接続されたデータベースへの前記ステータス情報及び認証情報の書き込み及び読み出し処理と、
ネットワーク１を介して接続された入退館管理装置の非接触認証データ取得部から送信された前記アクターの認証データと、前記データベースに予め格納されている前記アクターの固有情報との一致を確認する処理と、
前記一致を確認した後、前記データベース中の前記固有情報と前記識別番号とを紐づけて、前記紐づけられた無線通信デバイスを前記入退館管理装置の排出部から排出させる処理と、
前記データベース中の前記アクターのステータス情報を退館済から入館中に変更する処理と、
前記回収部に前記無線通信デバイスが回収されたことを確認すると、前記データベースに格納されている前記アクターのステータスを入館中から退館済に変更する処理と、
前記データベースに格納されている前記アクターの前記入館中及び前記退館済のステータス情報が変更された日付及び時刻を、前記データベースに格納する処理と、
を実行させる、プログラム。
（２２）医療施設に入退館するアクターを管理する非接触入退館管理システムにて管理される入退館管理装置であって、
前記入退館管理装置は、
前記アクターのステータス情報及び認証情報を格納するデータベースが接続され、前記データベースへの前記ステータス情報及び認証情報の書き込み及び読み出しが可能なサーバにネットワークを介して接続され、
前記サーバとデータを送受信する送受信部、
前記アクターの認証データを非接触に取得し前記サーバに送信する非接触認証データ取得部、
前記アクターが前記医療施設内に入館する際に、前記アクターが携帯可能な、無線通信デバイスを排出する排出部、並びに
前記アクターが前記医療施設を退館する際に、前記無線通信デバイスを回収する回収部、
を備える、入退館管理装置。
【発明の効果】
【０００８】
本発明によれば、入館時から院内感染の防止を図り、医療施設内での感染を従来よりも防止することが可能となる。
【図面の簡単な説明】
【０００９】
【図１】図１は、本開示の医療施設における非接触入退館管理システムの一例を表す模式図である。
【図２】図２は、サーバにネットワークを介して接続され且つ医療施設内へ入退館するアクターを非接触で認証する入退館管理装置の一例を表す模式図である。
【図３】図３は、無線通信デバイスの一例を表す模式図である。
【図４】図４は、非接触認証データ取得部の一例を表す模式図である。
【図５】図５は、アクターの情報端末（アクター端末）がネットワークに接続された本開示の医療施設における非接触入退館管理システムの一例を表す模式図である。
【図６】図６は、アクター端末が医療施設外のネットワークを介して施設内サーバ１１と接続された本開示の非接触入退館管理システムの一例を表す模式図である。
【図７】図７は、施設内サーバと施設外ネットワークを介して接続されたクラウドサーバを備え、アクター端末が施設外ネットワーク３を介してクラウドサーバに接続された本開示の非接触入退館管理システムの一例を表す模式図である。
【図８】図８は、医療施設内において、３つの送受信機と無線通信デバイスとが無線通信している状態一例を表す模式図である。
【発明を実施するための形態】
【００１０】
本開示は、医療施設に入退館するアクターを管理する非接触入退館管理システムであって、前記アクターのステータス情報及び認証情報を格納するデータベースが接続され、前記データベースへの前記ステータス情報及び認証情報の書き込み及び読み出しが可能なサーバと、前記サーバにネットワークを介して接続され且つ前記医療施設内へ入退館する前記アクターを非接触で認証する入退館管理装置と、を備え、前記ステータス情報には、入館中または退館済のステータス情報が含まれ、前記入館中とは、前記アクターが前記医療施設内に入館している状態であり、前記退館済とは、前記アクターが前記医療施設外に退館している状態であり、前記認証情報には、前記アクターの固有情報が含まれ、前記入退館管理装置は、前記サーバとデータを送受信する送受信部、前記アクターの認証データを非接触に取得し前記サーバに送信する非接触認証データ取得部、前記アクターが前記医療施設内に入館する際に、前記アクターが携帯可能且つ前記医療施設内に配置された複数の送受信機と無線通信が可能な無線通信デバイスを、排出する排出部、並びに前記アクターが前記医療施設を退館する際に、前記無線通信デバイスを回収する回収部、を備え、前記無線通信デバイスは、前記無線通信デバイスの識別番号を格納するためのメモリと、無線ネットワークを介して前記識別番号を送信する送信手段とを備え、前記非接触認証データ取得部から送信された前記アクターの認証データと、前記データベースに予め格納されている前記アクターの固有情報との一致を確認する処理、前記一致を確認した後、前記データベース中の前記固有情報と前記識別番号とを紐づけて、前記紐づけられた無線通信デバイスを前記入退館管理装置の排出部から排出させる処理、前記データベース中の前記アクターのステータス情報を退館済から入館中に変更する処理、前記回収部に前記無線通信デバイスが回収されたことを確認すると、前記データベースに格納されている前記アクターのステータスを入館中から退館済に変更する処理、並びに前記データベースに格納されている前記アクターの前記入館中及び前記退館済のステータス情報が変更された日付及び時刻を、前記データベースに格納する処理、を前記サーバに実行させる、非接触入退館管理システムを対象とする。
【００１１】
医療施設には不特定多数の者が出入りするため、細菌やウイルスに感染している者が入館することがあり得る。本開示の非接触入退館管理システムによれば、不特定多数の者の医療施設への入退出を非接触で迅速に行うことができ、入館時から院内感染の防止を図ることができるので、医療施設内での感染を従来よりも防止することが可能となる。
【００１２】
医療施設とは、医療を提供する施設をいい、例えば、病院、診療所、助産所、特定機能病院、地域医療支援病院、臨床研究中核病院、介護療養型医療施設等が挙げられる。
【００１３】
アクターとは、医療施設に出入りする者または医療施設に滞在する者をいい、例えば、医療従事者、外来患者、入院患者、入院患者の見舞客、外来患者の付添者、医療施設内の食堂の職員、外部業者、その他の医療施設に関連した仕事をする者等が挙げられる。
【００１４】
医療従事者には、医師、歯科医師、薬剤師、保健師、助産師、看護師、准看護師、歯科衛生士、診療放射線技師、歯科技工士、臨床検査技師、衛生検査技師、理学療法士、作業療法士、視能訓練士、臨床工学技士、義肢装具士、救急救命士、言語聴覚士、管理栄養士（栄養士）、あん摩マッサージ指圧師、鍼灸師、柔道整復師、救急救命士、医療事務等が挙げられる。
【００１５】
図１に、本開示の医療施設における非接触入退館管理システムの一例を表す模式図を示す。非接触入退館管理システム１００は、サーバ１０、データベース２０、及び入退館管理装置３０を備える。
【００１６】
本開示の非接触入退館管理システム１００は、アクターのステータス情報及び認証情報を格納するデータベース２０が接続され、データベース２０へのデータの書き込み及び読み出しが可能なサーバ１０を備える。
【００１７】
サーバ１０は、医療施設４０内に設置されたサーバでもよく、医療施設４０外に設置されたサーバでもよく、インターネット等の通信ネットワークに接続された別のサーバまたはクラウドサーバでもよい。
【００１８】
データベース２０は、サーバ１０に内蔵されていてもよく、サーバ１０の記憶部であってもよく、サーバ１０と有線または無線で接続された別のサーバに内蔵されてもよく、インターネット等の通信ネットワークに接続された別のサーバまたはクラウドサーバ内に含まれてもよい。
【００１９】
サーバ１０は、インターネット等の通信ネットワーク１に接続されてデータの送受信が可能な通信部、記憶部、及び処理部を備えている。
【００２０】
記憶部には、ドライバプログラム、オペレーティングシステムプログラム、アプリケーションプログラム等のプログラムが記憶されている。記憶部に記憶されるアプリケーションプログラムは、本システムにおける各種処理をサーバに実行させるためのプログラム等である。プログラムは、ＵＳＢメモリなどの可搬性の記録媒体に記録され、記録媒体から読み出されてサーバにインストールされてもよい。あるいは、プログラムは、ネットワーク等を経由してダウンロードされてサーバにインストールされてもよい。記憶部には、送受信するステータス情報及び認証情報が記憶されてもよい。
【００２１】
処理部は、一個または複数個のプロセッサ及びその周辺回路を有する。処理部は、サーバの全体的な動作を統括的に制御するものであり、例えば、ＣＰＵ（Ｃｅｎｔｒａｌ  Ｐｒｏｃｅｓｓｉｎｇ  Ｕｎｉｔ）である。処理部は、ステータス情報及び認証情報の送受信、ステータス情報及び認証情報のデータベースへの格納、データベースに格納されているステータス情報、認証情報等の登録情報に基づき、各種処理が実行されるように、通信部、記憶部、及びデータベースの動作を制御することができる。
【００２２】
処理部は、記憶部に記憶されているプログラム（ドライバプログラム、オペレーティングシステムプログラム、アプリケーションプログラム等）に基づいて各種処理を実行する。また、処理部は、複数のプログラム（アプリケーションプログラム等）を並列に実行できる。データベースは、サーバの記憶部であってもよい。
【００２３】
ステータス情報には、アクターの入館中または退館済のステータス情報が含まれる。入館中とは、アクターが医療施設４０内に入館している状態である。退館済とは、アクターが医療施設４０外に退館している状態である。認証情報には、アクターの固有情報が含まれる。
【００２４】
図２に、サーバ１０にネットワーク１を介して接続され且つ医療施設４０内へ入退館するアクターを非接触で認証する入退館管理装置３０の一例を表す模式図を示す。入退館管理装置３０は、医療施設４０の内部または外部のいずれに設置されてもよいが、アクターが入退館する医療施設４０の出入り口の近くに設置されることが好ましい。入退館管理装置３０は、サーバ１０とデータを送受信する送受信部３１、アクターの認証データを非接触に取得しサーバ１０に送信する非接触認証データ取得部３４、アクターが医療施設４０内に入館する際に、アクターが携帯可能な無線通信デバイス５０を排出する排出部３５、並びにアクターが医療施設４０を退館する際に、無線通信デバイス５０を回収する回収部３６を備える。
【００２５】
無線通信デバイス５０は、好ましくは入退館管理装置３０に備えられたストッカーに配置され、ストッカーから排出部３５を介して排出される。
【００２６】
入退館管理装置３０は、好ましくは画像表示部３２を備える。画像表示部３２は、アクターが医療施設に入館する際に、入館に関する情報を表示するためのモニター装置であり、例えば、アクターの受付情報、アクターの認証情報、アクターの顔画像、アクターのマスクを付けた顔画像、アクターが目的とする診療科等を表示することができる。画像表示部３２は、アクターが医療施設に退館する際に、退館に関する情報を表示してもよい。
【００２７】
入退館管理装置３０は、好ましくは音声発信部３３を備える。音声発信部３３は、アクターが医療施設に入館する際に、入館に関する情報を音声発信するための音声発信装置であり、例えば、アクターの受付情報、アクターの認証情報、アクターのマスク有無、アクターが目的とする診療科等を音声発信することができる。音声発信部３３は、アクターが医療施設に退館する際に、退館に関する情報を音声発信してもよい。
【００２８】
図３に、無線通信デバイス５０の一例を表す模式図を示す。無線通信デバイス５０は、電波を発信するデバイスであり、数メートルまたは数十メートルの範囲に電波を発信して、医療施設内に配置された送受信機に、無線通信デバイス５０の存在を知らせることができる。無線通信デバイス５０は、無線通信デバイス５０の識別番号（ＩＤ）を格納するためのメモリ５１と、無線ネットワークを介して識別番号をサーバに送信する送信手段５２とを備える。無線通信デバイス５０は、発信する電波に識別番号を重畳し、医療施設内に配置された送受信機が当該電波を受信して、当該電波に重畳された識別番号を持つ無線通信デバイス５０が近傍に存在することを認識することができる。無線通信デバイス５０が近傍に存在することを認識すると、送受信機は、無線通信デバイス５０の識別番号及び送受信機ＩＤをサーバ１０に送信することができる。送受信機ＩＤとは、医療施設内に配置された複数の送受信機がそれぞれ有するＩＤであり、医療施設内の配置場所と紐づいてデータベースにも登録されている。無線通信デバイス５０は、受信手段を備えてもよい。無線通信デバイスは、受信手段によりサーバからのデータを受信することができる。例えば、無線通信デバイスは、受信手段がサーバからのブザー鳴動処理信号を受信して、ブザーを鳴らすことができる。
【００２９】
無線通信デバイス５０は、電池が未搭載のパッシブタイプ、電池内蔵のアクティブタイプ、またはセミアクティブタブであることができる。無線通信デバイス５０がパッシブタイプまたはセミアクティブタブである場合は、医療施設内に配置された送受信機から電源供給されることができ、医療施設内に配置された送受信機からの電磁誘導で起動することができる。
【００３０】
無線通信デバイス５０は、非接触無線通信デバイスであるＲＦＩＤ（Ｒａｄｉｏ  Ｆｒｅｑｕｅｎｃｙ  Ｉｄｅｎｔｉｆｉｅｒ）デバイスであり、好ましくは、非接触ＩＣ（Ｉｎｔｅｇｒａｔｅｄ  Ｃｉｒｃｕｉｔ）カードまたは非接触ＩＣタグである。非接触ＩＣカードは、例えば、ＩＣチップ及びアルミニウム製のアンテナを備えたカードケースに組み込まれたデバイスである。非接触ＩＣタグは、例えば、ＩＣチップ及びアルミニウム製のアンテナがカード型以外の任意の形状ケースに組み込まれたデバイスである。
【００３１】
ＲＦＩＤでは、主に、ＬＦ帯、ＨＦ帯、ＵＨＦ帯、及び／またはＳＨＦ帯の４種類の周波数帯が使用される。ＲＦＩＤでは、例えば、数十ｃｍ以内の近接距離で活用する場合にはＨＦ帯のＮＦＣ（Ｎｅａｒ  Ｆｉｅｌｄ  Ｃｏｍｍｕｎｉｃａｔｉｏｎ）が用いられ得、それよりも遠隔で活用する場合にはＵＨＦ帯が用いられ得る。
【００３２】
無線通信デバイス５０は、より好ましくは、ＢＬＥ（Ｂｌｕｅｔｏｏｔｈ（登録商標）  Ｌｏｗ  Ｅｎｅｒｇｙ）タグを含む。ＢＬＥタグは、定期的に識別番号を重畳したビーコンを発信してもよく、医療施設内に配置された送受信機またはその近傍からのトリガー磁界を検知して、識別番号を重畳した識別番号を発信するか、または、識別番号を重畳したビーコンを定期発信することができる。ＢＬＥタグがトリガー磁界を検知したときは、ＢＬＥタグは、トリガー磁界に付加されたトリガーＩＤを認識し、識別番号とトリガーＩＤとをセットでサーバに送信することができる。トリガー磁界は、好ましくは球状または半球状に出力される。定期発信の間隔は、任意に設定することができ、例えば０．１秒間隔〜５分間隔等の間隔にすることができる。ＢＬＥタグは、２．４ＧＨｚ帯を使用し長距離通信が可能であり、電池寿命が長く、電池の交換が容易である。
【００３３】
無線通信デバイス５０は、さらに好ましくは、ＢＬＥとＮＦＣとの組み合わせで構成される。これにより、無線通信デバイス５０は、近距離通信と長距離通信との両立が可能となり、セキュリティゾーンへの施錠開錠をＮＦＣで行い、医療施設内に配置された複数の送受信機との通信をＢＬＥで行うことができる。
【００３４】
無線通信デバイス５０は、他の無線通信デバイスと組み合わせて使用してもよい。例えば、無線通信デバイス５０をＢＬＥとして、他のＩＣカード（ＮＦＣ）と組み合わせて、当該他のＩＣカードに付されている製造番号（ユニークコード）と、データベースに格納されているアクターの固有情報とを紐付けて、セキュリティゾーンへの施錠開錠時にアクターの本人確認を行うことができる。無線通信デバイス５０に他の無線通信デバイスを組み合わせる場合は、無線通信デバイス５０の排出に加えて、当該他の無線通信デバイスの払出が行われる。
【００３５】
無線通信デバイス５０には、識別番号、情報コード、またはそれらの組み合わせが印刷されたラベルが貼られてもよい。無線通信デバイス５０に貼られた前記ラベルを読み取り機で読み取ることにより、無線通信デバイス５０の所在管理を容易に行うことができる。
【００３６】
無線通信デバイス５０は、好ましくは、ストラップ等の紐を通すための穴を有する。無線通信デバイス５０がこのような穴を有することで、無線通信デバイス５０の穴に通したストラップ等をアクターが首にかけることができ、アクターが無線通信デバイス５０を携行することを容易にすることができる。
【００３７】
無線通信デバイスのラベルの読み取り機は、入退館管理装置が備えてもよく、医療施設内の任意の場所に配置されてもよい。読み取り機は、サーバ１０に通信ネットワークで接続される。読み取り機は、識別番号または情報コードの画像を読み取る画像読取部、読み取った画像を処理する画像処理部、画像処理したデータを解析するデータ解析部、読み取り機全体を制御する制御部、データを送受信する通信処理部を主な構成部とし得る。通信処理部より送信された読み取りデータは、読み取り機の位置情報及び読み取り日時とともに、ネットワーク回線を介してサーバに送られる。サーバに送られデータベースに格納されたデータは、ネットワーク回線を介してコンピュータ等の端末装置で閲覧することができる。
【００３８】
サーバは、非接触認証データ取得部３４から送信されたアクターの認証データと、データベース２０に格納されているアクターの固有情報との一致を確認する処理を実行する。
【００３９】
アクターの固有情報は、予めデータベース２０に格納されている。アクターは医療施設に入館する際に、非接触認証データ取得部３４がアクターの認証データを取得する。非接触認証データ取得部３４が取得したアクターの認証データをサーバに送信し、送信されたアクターの認証データが、データベース２０に格納されているアクターの固有情報と一致するかどうかをサーバが確認する処理を行う。サーバが一致を確認した場合は、無線通信デバイス５０の排出処理を行う。サーバが一致を確認できない場合は、無線通信デバイス５０の排出処理を行わない。サーバが一致を確認できない場合は、サーバに接続された端末に不一致情報を送信し、入退館管理装置の画面表示部または音声発信部からアクターに不一致であることの通知及び医療施設の管理者への連絡方法を案内することができる。
【００４０】
サーバは、前記一致を確認した後、データベース中の固有情報と無線通信デバイス５０の識別番号とを紐づけて、紐づけられた無線通信デバイス５０を入退館管理装置３０の排出部３５から排出させる処理を実行する。サーバは、固有情報と無線通信デバイス５０の識別番号とを紐づけてデータベースに登録する。
【００４１】
サーバは、前記一致を確認した後または無線通信デバイス５０を排出させる処理の後、データベース中のアクターのステータス情報を退館済から入館中に変更する処理を実行する。
【００４２】
サーバは、回収部３６に無線通信デバイス５０が回収されたことを確認すると、データベースに格納されているアクターのステータスを入館中から退館済に変更する処理を実行する。
【００４３】
サーバは、データベースに格納されているアクターの入館中及び退館済のステータス情報が変更された日付及び時刻を、データベースに格納する処理を実行する。
【００４４】
アクターの固有情報には、好ましくは、次の（Ａ）〜（Ｊ）：（Ａ）アクターに付与されるＩＤ、（Ｂ）アクターのメールアドレス、ＳＮＳアドレス、またはそれらの組み合わせ、（Ｃ）アクターの電話番号、（Ｄ）アクターの氏名、（Ｅ）アクターの生年月日、（Ｆ）アクターの住所、（Ｇ）アクターの顔、指紋、静脈、虹彩、またはそれらの組み合わせの生体情報、（Ｈ）アクターの電子カルテ番号、（Ｉ）アクターの保険証番号、並びに（Ｊ）前記アクターのマイナンバーからなる群から選択される少なくとも一つが含まれる。
【００４５】
図４に、非接触認証データ取得部３４の一例を表す模式図を示す。非接触認証データ取得部３４は、好ましくは、
アクターの情報端末がサーバ１０から予め受信したアクターの固有情報に紐付けられる情報コードを非接触で読み取り、読み取られる情報コードに紐付けられるアクターの固有情報をサーバ１０に送信する情報コードリーダ３４１、
アクターの顔、指紋、静脈、虹彩、またはそれらの組み合わせの生体認証データを非接触で取り込むカメラを備え、取り込まれる生体認証データを前記サーバに送信する生体認証データ取得部３４２、
前記アクターの固有情報を非接触で入力可能な非接触タッチパネルを備え、入力される固有情報を前記サーバに送信する固有情報入力部３４３、及び
前記アクターの固有情報を音認識で入力可能なマイクを備え、音入力される固有情報を前記サーバに送信する音情報入力部３４４
からなる群から選択される少なくとも一つを含む。
【００４６】
図５に、アクターの情報端末６０（以下、アクター端末ともいう）がネットワーク１に接続された本開示の非接触入退館管理システムの一例を表す模式図を示す。アクター端末は、アクターが所有する端末であり、好ましくはアクターが携帯可能な端末であり、スマートフォン、タブレット、ノートパソコン等の携帯端末または情報端末が挙げられる。アクター端末６０は、ネットワーク１を介してサーバ１０に接続される。
【００４７】
図６に、アクター端末６０が医療施設内のネットワーク２及び医療施設外のネットワーク３を介して施設内サーバ１１と接続された本開示の非接触入退館管理システムの一例を表す模式図を示す。図６においては、非接触入退館管理システム１００におけるサーバは施設内サーバ１１であり、施設外ネットワーク３とは直接接続されておらず、施設内ネットワーク２を介して、施設内サーバ１１、データベース２０、及び入退館管理装置３０と接続される。施設内サーバ１１が、施設外ネットワーク３とは別の施設内ネットワーク２を介してデータベース２０及び入退館管理装置３０と接続されることにより、施設内セキュリティの向上を図ることができる。
【００４８】
図７に、施設内サーバ１１と施設内ネットワーク２及び施設外ネットワーク３を介して接続されたクラウドサーバ１２を備え、アクター端末６０が施設外ネットワーク３を介してクラウドサーバ１２に接続された本開示の非接触入退館管理システムの一例を表す模式図を示す。図７においては、非接触入退館管理システム１００におけるサーバは施設内サーバ１１とクラウドサーバ１２である。アクター端末６０は、施設外ネットワーク３を介してクラウドサーバ１２と接続され、施設内サーバ１１には直接接続されない。アクター端末６０と施設内サーバ１１とのデータの送受信は、クラウドサーバ１２と施設内ネットワーク２及び施設外ネットワーク３を介して行われる。施設内サーバ１１とアクター端末６０との直接のデータの送受信がないので、施設内セキュリティの向上をさらに図ることができる。
【００４９】
情報コードリーダ３４１は、サーバ１０に通信ネットワークで接続される。情報コードリーダ３４１は、情報コードの画像を読み取る画像読取部、読み取った画像を処理する画像処理部、画像処理したデータを解析するデータ解析部、情報コードリーダ全体を制御する制御部、データを送受信する通信処理部を主な構成部とし得る。通信処理部より送信された読み取りデータは、ネットワーク回線を介してサーバに送られる。サーバに送られデータベースに格納されたデータは、ネットワーク回線を介してコンピュータ等の端末装置で閲覧することができる。
【００５０】
生体認証データ取得部３４２は、サーバ１０に通信ネットワークで接続される。生体認証データ取得部３４２は、アクターの顔、指紋、静脈、虹彩、またはそれらの組み合わせの画像を取得する画像取得部、取得した画像を処理する画像処理部、画像処理したデータを解析するデータ解析部、生体認証データ取得部全体を制御する制御部、データを送受信する通信処理部を主な構成部とし得る。通信処理部より送信された生体認証データは、ネットワーク回線を介してサーバに送られる。サーバに送られデータベースに格納されたデータは、ネットワーク回線を介してコンピュータ等の端末装置で閲覧することができる。
【００５１】
固有情報入力部３４３は、サーバ１０に通信ネットワークで接続される。固有情報入力部３４３は、アクターの固有情報を非接触で入力可能な非接触タッチパネル、固有情報入力部全体を制御する制御部、入力された固有情報データを送受信する通信処理部を主な構成部とする。通信処理部より送信された固有情報データは、ネットワーク回線を介してサーバに送られる。サーバに送られデータベースに格納されたデータは、ネットワーク回線を介してコンピュータ等の端末装置で閲覧することができる。入退館管理装置が、固有情報入力部を備える場合、入退館管理装置は、画像表示部または音声発信部から、アクターがパネルに触れない旨の表示案内または音声案内を行うことができる。
【００５２】
音情報入力部３４４は、サーバ１０に通信ネットワークで接続される。音情報入力部３４４は、アクターの固有情報を音認識で入力可能なマイク、入力された音をデータ処理する音処理部、固有情報入力部全体を制御する制御部、データ処理された固有情報データを送受信する通信処理部を主な構成部とし得る。通信処理部より送信された固有情報データは、ネットワーク回線を介してサーバに送られる。サーバに送られデータベースに格納されたデータは、ネットワーク回線を介してコンピュータ等の端末装置で閲覧することができる。
【００５３】
アクターの固有情報に（Ａ）アクターに付与されるＩＤが含まれる場合、当該ＩＤはアクターに固有のＩＤであり、サーバは、当該固有のＩＤと、非接触認証データ取得部３４から送信されたアクターの認証データ、例えば情報コードリーダで読み取られた情報コードに紐づくデータベースに予め登録されたＩＤ、固有情報入力部の非接触タッチパネルで入力されたＩＤ、または音情報入力部で入力されたＩＤとの一致を確認する処理を実行することができる。
【００５４】
同様に、アクターの固有情報に（Ｂ）アクターのメールアドレス、（Ｃ）アクターの電話番号、（Ｄ）アクターの氏名、（Ｅ）アクターの生年月日、及び／または（Ｆ）アクターの住所が含まれる場合、サーバは、当該固有情報と、非接触認証データ取得部３４から送信されたアクターの認証データ、例えば情報コードリーダで読み取られた情報コードに紐づくデータベースに予め登録されたメールアドレス、電話番号、氏名、生年月日、及び／または住所、固有情報入力部の非接触タッチパネルで入力された固有情報、または音情報入力部で入力された固有情報との一致を確認する処理を実行することができる。
【００５５】
アクターの固有情報に（Ｇ）アクターの顔、指紋、静脈、虹彩、またはそれらの組み合わせの生体情報が含まれる場合、サーバは、当該生体情報と、非接触認証データ取得部３４から送信されたアクターの認証データ、例えば生体認証データ取得部で取り込まれた顔、指紋、静脈、虹彩、またはそれらの組み合わせの生体認証データとの一致を確認する処理を実行することができる。
【００５６】
アクターの固有情報に（Ｈ）アクターの電子カルテ番号、（Ｉ）アクターの保険証番号、または（Ｊ）アクターのマイナンバーが含まれている場合、サーバは、保険証番号またはマイナンバーと、非接触認証データ取得部３４から送信されたアクターの認証データ、例えば情報コードリーダで読み取られた情報コードに紐づくデータベースに予め登録された保険証番号またはマイナンバー、固有情報入力部の非接触タッチパネルで入力された保険証番号またはマイナンバー、または音情報入力部で入力された保険証番号またはマイナンバーとの一致を確認する処理を実行することができる。
【００５７】
アクターは、医師、看護師、事務職員等の病院職員、清掃業者、入院患者等の医療施設を定期的に入退館するタイプＡ、並びにお見舞い者、外来患者（初診含む）、外部業者等の医療施設を初めてまたは不定期に入退館するタイプＢに分けられる。
【００５８】
好ましくは、タイプＡのアクターについては、非接触認証データ取得部３４の生体認証データ取得部３４２、固有情報入力部３４３、または音情報入力部３４４により読み取られたタイプＡのアクターの認証データと、データベースに格納されているタイプＡのアクターの固有情報とが紐付けられて本人確認が行われる。
【００５９】
好ましくは、タイプＢのアクターについては、来館前にタイプＢのアクターの情報端末からネットワークを介してサーバ１０に入館予約をすることにより、サーバ１０がアクターの情報端末に発行する情報コードを、非接触認証データ取得部３４の情報コードリーダ３４１がアクターの情報端末から読み取り、非接触認証データ取得部３４から送信されたアクターの認証データと、データベース２０に格納されているアクターの固有情報とが紐付けられて本人確認が行われる。
【００６０】
情報コードは、好ましくは、１次元コード、２次元コード、またはそれらの組み合わせである。
【００６１】
１次元コードは、好ましくは、ＣＯＤＥ３９、ＣＯＤＥ１２８、ＪＡＮ、ＥＡＮ、ＵＰＣ、ＮＷ−７、ＩＴＦ、またはそれらの組み合わせのバーコードである。
【００６２】
２次元コードは、好ましくは、マトリックスコードまたはスタックコードである。
【００６３】
マトリックスコードは、好ましくは、ＱＲコード（登録商標）、マイクロＱＲコード（登録商標）、ＳＰコード、ベリコード（ＶｅｒｉＣｏｄｅ）、マキシコード（ＭａｘｉＣｏｄｅ）、ＣＰコード、データマトリックス（ＤａｔａＭａｔｒｉｘ）、ＤａｔａＭａｔｒｉｘ  ＥＣＣ２００、Ｃｏｄｅ１、ＡｚｔｅｃＣｏｄｅ、インタクタコード、カードｅ、またはカメレオン・コードである。
【００６４】
スタックコードは、好ましくは、ＰＤＦ４１７、マイクロＰＤＦ４１７、Ｃｏｄｅ４９、Ｃｏｄｅ１６Ｋ、Ｃｏｄａｂｌｏｃｋ、ＳｕｐｅｒＣｏｄｅ、Ｕｌｔｒａ  Ｃｏｄｅ、ＲＳＳ  Ｃｏｍｐｏｓｉｔｅ、またはＡｚｔｅｃＭｅｓａである。
【００６５】
図２に示すように、入退館管理装置３０は、好ましくは、無線通信デバイス５０を殺菌処理及びウイルス除去処理する殺菌ウイルス除去部３７を備える。回収部３６が無線通信デバイス５０を回収すると、殺菌ウイルス除去部３７が無線通信デバイス５０を殺菌処理及びウイルス除去処理することができる。
【００６６】
殺菌ウイルス除去部３７は、殺菌ウイルス除去できる機能を備えれば特に限定されないが、好ましくは、紫外線照射部、光触媒噴霧部、アルコール噴霧部、オゾン発生器、またはそれらの組み合わせを備え、無線通信デバイス５０を殺菌処理及びウイルス除去処理することができる。紫外線波長は、好ましくは２５５〜２８０ｎｍである。光触媒は、好ましくは水中に分散させた粒径が１〜１０００ｎｍ程度の酸化チタン粒子である。
【００６７】
図３に示すように、無線通信デバイス５０は、好ましくはブザー５３を備える。サーバ１０が無線通信デバイス５０が医療施設４０から所定の距離離れたと判断したとき、またはサーバ１０の入力部に無線通信デバイス５０のブザーを鳴らす命令を入力したとき、ブザー５３を鳴らす処理をサーバ１０が実行する。アクターによる無線通信デバイスの返却忘れの防止にもなる。
【００６８】
無線通信デバイス５０は、好ましくはナースコール機能を備える。ナースコール機能は、無線通信デバイスが備えるボタンが押されると、無線通信デバイスの送信部からナースコール受信機に、ナースコール信号を送信することができる。ナースコール信号は無線通信デバイスの送信部から医療施設内のナースステーションのナースコール受信機にナースコール信号を直接送信してもよいが、好ましくは、無線通信デバイスから医療施設内に配置された送受信機を介してサーバに送信され、サーバがナースステーションのナースコール受信機にナースコール信号を送信する。これにより、サーバは、ナースコール信号を発信した無線通信デバイスの位置と日時を特定することができ、ナース等の医療施設のスタッフは、サーバと接続された端末から、ナースコール信号を発信した無線通信デバイスの位置と日時を確認することができる。また、無線通信デバイスがナースコール機能を備えることによって、アクターによる無線通信デバイスの所持忘れの防止にもなる。
【００６９】
サーバ１０が無線通信デバイス５０が医療施設４０から所定の距離離れたと判断することは、医療施設の出入口に、無線通信デバイスと無線ネットワークを介して送受信可能な送受信機を配置し、出入口に配置した送受信機から医療施設の外部の方向に離れる無線通信デバイス５０を検知することにより行うことができる。例えば、医療施設の出入口に複数、好ましくは３つ以上の送受信機を配置し、無線通信デバイスから送信される信号強度をこれら送受信機で受信して、送受信機に対する無線通信デバイスの方向と距離を検知することができる。
【００７０】
サーバ１０は、好ましくは、生体認証データ取得部３４２が取り込んだアクターの顔データに基づいて、アクターのマスク着用有無を判断する処理、及びアクターがマスクを着用していると判断したときに、入退館管理装置３０に排出部３５から無線通信デバイス５０を排出させる処理を行う。
【００７１】
サーバ１０は、好ましくは、生体認証データ取得部３４２が取り込んだアクターの顔データに基づいて、アクターのマスク着用有無を判断する処理、アクターがマスクを着用していないと判断したときに、入退館管理装置３０の画像表示部３２にマスク着用を促す表示をする処理、音声発信部３３にマスク着用を促すアナウンスをさせる処理、またはそれらの両方の処理、及び前記表示処理またはアナウンス処理後に、生体認証データ取得部３４２が取り込んだアクターがマスクを着用した顔データをデータベース２０に格納する処理を行う。
【００７２】
入退館管理装置３０は、好ましくは、サーバ１０とネットワークで接続され且つ医療施設４０の出入り口に配置されたセキュリティゲートを備え、サーバ１０が、無線通信デバイス５０を入退館管理装置の排出部３５から排出させる処理、及びセキュリティゲートを開く処理を実行する。これにより、アクターは、排出された無線通信デバイスを受け取り、セキュリティゲートを通って医療施設内に入ることができる。
【００７３】
好ましくは、セキュリティゲートが無線通信デバイス識別部を備え、無線通信デバイス識別部が排出された無線通信デバイスを識別すると、セキュリティゲートが開く。これによりアクターは、無線通信デバイス識別部を受け取って無線通信デバイス識別部に無線通信デバイスさせてから、セキュリティゲートを通って医療施設内に入ることができる。無線通信デバイス識別部がセキュリティゲートを開く処理をしてもよく、サーバが無線通信デバイス識別部が無線通信デバイスを識別したことを確認して、セキュリティゲートを開く処理をしてもよい。
【００７４】
サーバ１０は、好ましくは、非接触認証データ取得部から送信されたアクターの認証データと、データベースに格納されているアクターの固有情報との一致を確認する処理、データベース中の固有情報と無線通信デバイス５０の識別番号とを紐づけて、識別番号が紐づけられた無線通信デバイスを入退館管理装置の排出部３５から排出させる処理を行い、さらにセキュリティゲートが開いたことを認識すると、データベース中のアクターのステータス情報を退館済から入館中に変更する処理を実行する。これにより、セキュリティゲートが開くことが、ステータス情報を入館中に変更する条件となり、ステータス情報の管理が容易になる。
【００７５】
図２に示すように、入退館管理装置３０は、好ましくは、アクターの体温を測定し、測定した体温データを出力可能な、サーバ１０とネットワークで接続されたサーモグラフィーカメラ３８を備える。
【００７６】
サーバ１０は、好ましくは、サーモグラフィーカメラ３８から出力されたアクターの体温データに基づき、アクターの体温が所定値以下であるか判断する処理、及びアクターの体温が所定値以下と判断したときに、入退館管理装置３０に無線通信デバイス５０を排出させる処理を実行する。
【００７７】
サーバ１０は、好ましくは、サーモグラフィーカメラ３８から出力されたアクターの体温データに基づき、アクターの体温が所定値以下であるか判断する処理、及びアクターの体温が所定値以下と判断したときに、セキュリティゲートを開く処理を実行する。
【００７８】
サーモグラフィーカメラ３８は、非接触体温温度計であり、サーバ１０に通信ネットワークで接続される。サーモグラフィーカメラ３８は、従来用いられているサーモグラフィーカメラであることができ、アクターから出ている赤外線放射エネルギーを検出する検出部、検出した赤外線放射エネルギーをデータ化するデータ処理部、データ処理したデータを解析するデータ解析部、サーモグラフィーカメラ全体を制御する制御部、データを送受信する通信処理部を主な構成部とし得る。通信処理部より送信された体温データは、ネットワーク回線を介してサーバに送られる。サーバに送られデータベースに格納されたデータは、ネットワーク回線を介してコンピュータ等の端末装置で閲覧することができる。
【００７９】
サーバ１０は、好ましくは、回収部に無線通信デバイスが回収されたことを確認すると、セキュリティゲートを開く処理を実行する。これにより、無線通信デバイスの回収漏れを無くすことができる。
【００８０】
入退館管理装置３０は、赤外線人感センサを備えてもよい。赤外線人感センサが、アクターが入館したことを検知して、入退館管理装置の画像表示部または音声発信部から画像表示または音声発信で、アクターに、非接触認証データ取得部でアクターの認証データを非接触に取得させる方法を案内してもよい。
【００８１】
入退館管理装置３０は、サーバとのデータの送受信が可能な送受信部を備えた診察券読み取り機を備えてもよい。医療施設への入館時に、診察券読み取り機に読み取られたアクターの診察券に記録されているアクターの固有情報と、データベースに格納されているアクターの固有情報との一致を確認する処理をサーバが実行してもよい。診察券読み取り機は、診察券の殺菌・ウイルス除去を行うための、上記同様の殺菌・ウイルス除去部を備えてもよい。
【００８２】
入退館管理装置は、アクターの入館受付完了時に、画像表示部または音声発信部から、受け付け完了の案内を行ってもよい。入退館管理装置は、アクターの入館受付完了時に、入退館管理装置の紙出力部から、アクターが訪問する診療科の案内が記された紙を出力してもよい。入退館管理装置は、アクターの入館受付完了時に、アクター端末に、アクターが訪問する診療科の案内についての通知を送信してもよい。
【００８３】
赤外線人感センサが、診療を終えたアクターを検知して、入退館管理装置の画像表示部３２または音声発信部３３から画像表示または音声発信で診療料金の精算案内を行ってもよい。無線通信デバイスが回収部に回収されると、入退館管理装置の画像表示部または音声発信部から画像表示または音声発信で診療料金の精算案内を行ってもよい。入退館管理装置は、情報コードリーダで、診療科から発行された診療完了用紙に記載の情報コードを読み取り、診療料金を画像表示部または音声発信部から案内してもよい。入退館管理装置は、固有情報入力部に入力されたアクターのＩＤ等の固有情報に基づき、診療料金を画像表示部または音声発信部から案内してもよい。
【００８４】
入退館管理装置３０が、サーバとのデータの送受信が可能な送受信部を備えた診察券読み取り機を備える場合、診療を終えたアクターの診察券が診察券読み取り機に読み取られると、入退館管理装置の画像表示部または音声発信部から画像表示または音声発信で診療料金の精算案内を行ってもよい。
【００８５】
入退館管理装置３０は、診療料金の精算処理部を備えてもよい。精算処理部には、現金処理部、クレジットカード処理部、電子マネー処理部等が含まれる。
【００８６】
入退館管理装置３０の画像表示部または音声発信部で示されたアクターの特定情報について、固有情報入力部または音情報入力部から、正誤を入力することができる。例えば、アクターの特定情報の正誤について、はい、いいえで回答することができる。
【００８７】
アクターが初診の患者の場合、アクター端末からサーバに事前に診療予約を行うことができる。初診予約の際は、アクター端末から患者に関する固有情報をサーバに送信することができる。サーバは、アクター端末に予約完了の通知とともにアクターのＩＤ（固有のＩＤ）を通知することができる。
【００８８】
好ましくは、非接触入退館管理システムは、医療施設４０内に配置され且つ無線通信デバイス５０と無線通信可能でありサーバ１０とネットワークを介して接続された複数の送受信機４２を備え、サーバ１０が、複数の送受信機４２の少なくとも一つが無線ネットワークを介して無線通信デバイス５０から受信した無線通信デバイスの識別番号及び受信した送受信機４２の位置情報に紐付く送受信機ＩＤを、送受信機４２から受信して、アクターの位置情報並びに日付及び時刻をデータベースに記録する。データベースには、送受信機ＩＤと送受信機の位置情報とが紐付いて予め登録されている。これにより、データベースに記録されたアクターの医療施設内における位置情報並びに日付及び時刻に基づいて、アクターの医療施設内における移動履歴を把握することができる。
【００８９】
送受信機４２とサーバ１０は、好ましくは、Ｗｉｆｉ等の無線ネットワークにより通信可能である。
【００９０】
送受信機４２は、サーバにデータを送信する第１の送信部、及び無線通信デバイスからデータを受信する第２の受信部を備える。第１の送信部は、サーバとデータを送受信する第１の送受信部でもよい第２の受信部は、無線通信デバイスとデータを送受信する第２の送受信部でもよい。第１の送信部または第１の送受信部と第２の受信部または第２の送受信部とは共通でもよい。送受信機４２は電池を備えてもよいが、好ましくは医療施設に接続されて電源が供給される。
【００９１】
好ましくは、３つ以上の送受信機が無線ネットワークを介して無線通信デバイスから同時に前記識別番号を受信し、前記サーバが、前記３つ以上の送受信機の位置情報と前記無線通信デバイスからの受信強度とから前記無線通信デバイスの位置情報を算出し、算出した位置情報並びに日付及び時刻を前記データベースに記録する。図８に、医療施設４０内において、３つの送受信機４２と無線通信デバイス５０とが無線通信している状態の一例を表す模式図を示す。送受信機との距離に応じた受信強度を利用する場合、無線通信デバイスは、ＵＨＦ帯を用いたＩＣタグまたはＩＣカードが好ましい。
【００９２】
好ましくは、医療施設内でアクターから感染者が発生し、感染者の固有情報が特定されたとき、特定された固有情報に基づいて、感染者の位置情報並びに日付及び時刻をデータベースから取得する処理と、取得した位置情報並びに日付及び時刻に基づいて、感染者と所定距離内で所定時間以上滞在した別のアクターをデータベースの中から抽出し、抽出した別のアクターを濃厚接触者として特定する処理とをサーバに実行させる。これにより、医療施設内でアクターから感染者が発生した場合に、濃厚接触者を容易に特定することができる。
【００９３】
感染者と所定距離内で所定時間以上滞在した別のアクターとは、例えば、感染者から２ｍ以内に１５分以上継続して位置したアクターをいう。
【００９４】
特定された濃厚接触者の感染有無についての検査結果をデータベースに登録することができる。サーバは、感染者からの距離、所定距離内に位置した時間、及び感染有無の検査結果のデータから、感染有無と、感染者からの距離及び所定距離内に位置した時間との関係を算出することができる。例えば、横軸に感染者からの距離、縦軸に所定距離内に位置した時間をとったグラフ上に、感染有無の検査結果データをプロットして、感染につながる感染者からの距離及び所定距離内に位置した時間を算出することができる。
【００９５】
感染につながる感染者からの距離及び所定距離内に位置した時間を算出した結果を、厚労省、自治体保健所等に提供することにより、濃厚接触の正確な定義付けに寄与することができる。これにより、無駄な検査を減らすことができ、医療資源の最適な利用に寄与することができる。
【００９６】
また、データベースに記録された感染者（アクター）の医療施設内における位置情報並びに日付及び時刻に基づいて把握された、感染者の医療施設内における移動履歴に基づいて、感染範囲のシミュレーションをサーバに実行させることができる。例えば、サーバが、感染可能性範囲を感染者からの距離で指定または感染者が入った部屋等のゾーンで指定し、感染可能性範囲外に位置するアクター（例えば、医療従事者）や、医療施設内の場所（部署）の継続運用を可能にすることができる。これにより、医療機能の安全かつ安定的な継続運営を行うことができ、病院機能停止のリスクを回避することができる。
【００９７】
アクターだけでなく、医療施設内の器具、装置等の医療施設内の物に、無線通信デバイスを配置してもよい。医療施設内の物が無線通信デバイスとともに位置することにより、アクターの移動経路に加えて物の移動経路も把握することができる。医療施設内の物への無線通信デバイスの配置方法は特に限定されず、貼付け、ネジ止め等の任意の方法で配置することができる。
【００９８】
医師や看護婦等の医療従事者、院内の食堂の職員、作業員等のアクターが使用する器具が細菌等に汚染されることにより、器具を介して患者や医療従事者等が感染する可能性もある。また、治療や検査に使用する医療装置が汚染されていて、医療装置を介して院内感染が発生する可能性もある。医療施設内の物に無線通信デバイスが配置されていることにより、サーバは、アクターの移動経路の特定と同様に、医療施設内の物の移動経路を特定することができるので、特定された感染者の移動経路と医療施設内の物の移動経路に基づいて、感染者が使用したとみなされる器具、装置等の医療施設内の物を特定することができる。
【００９９】
多種多様な人間が多く出入りする医療施設において、アクターの移動に加えて物の移動を正確に把握することにより、医療施設内の感染防止や感染発生後の対策をより効率的に行うことができ、医療施設に関わる人、物、場所という医療資源を安心して有効に機能させることができる。
【０１００】
サーバは、医療施設内を移動できる入院患者の移動経路に基づき、患者の消費カロリー等の運動レベルを算出することができる。サーバはまた、算出した運動レベル及び入院患者の年齢、病気等の情報に基づいて設定されたデータベースにあらかじめ登録された消費カロリー等の運動レベルに基づいて、当該患者のアクター端末及び／または医療施設のサーバに接続された端末に、運動管理に関する情報を送信することができる。運動管理に関する情報とは、一日当たり等の所定の期間に消費すべきカロリー、散歩の歩数等である。
【０１０１】
好ましくは、医療施設内を複数のゾーンに分割して、ゾーンに入室したアクターの認証情報と、アクターが入室したゾーンを特定するゾーンＩＤと、ゾーンの入退室時刻データとをデータベースに記憶させる処理と、
医療施設内でアクターから感染者が発生し、感染者の認証情報が特定されたとき、特定された認証情報に基づいて、感染者が入室したゾーンのゾーンＩＤと入室時刻をデータベースから取得する処理と、
取得したゾーンＩＤと入室時刻とに基づいて、感染者が入室した時刻以降に同一のゾーンＩＤのゾーンに入室した人の認証情報をデータベースから抽出し、抽出した認証情報で特定される人を濃厚接触者として特定する処理とをサーバに実行させる。これにより、医療施設内でアクターから感染者が発生した場合に、ゾーンごとに濃厚接触者を容易に特定することができる。
【０１０２】
サーバは、好ましくは、濃厚接触者のアクター端末に濃厚接触したことを通知する。これにより、医療施設内でアクターから感染者が発生した場合に、濃厚接触者として特定されたアクターに濃厚接触者であることを通知することができるので、感染拡大防止を図ることができる。
【０１０３】
好ましくは、送受信機は医療施設の病室の内部に配置されており、病室の内部に配置された送受信機が無線通信デバイスを認証すると、サーバは、病室のドアのロックを解除する処理を実行する。これにより、医療施設に入院しているアクター（以下、入院患者ともいう）が、病室の外にでる際に無線通信デバイスの携行忘れを防止して、入院患者の医療施設内の移動履歴及び医療施設の入退館の記録漏れを防止することができる。
【０１０４】
好ましくは、無線通信デバイスが、無線通信デバイスの動きにより生じる加速度を検出して加速度データを出力する加速度センサを備え、加速度センサが出力した加速度データと、前記加速度データを出力した送受信機の位置情報とを、前記送受信機から受信する処理と、加速度データ及び位置情報に基づいてアクターの無線通信デバイスの携行有無を判断する処理と、を前記サーバに実行させる。サーバは、所定時間に移動していることを示す加速度データが得られないときに、アクターが無線通信デバイスを携行していないと判断することができる。アクターが無線通信デバイスを携行しているか否かを判断して、アクター、特に、入院患者の移動経路の把握漏れを防止することができる。寝たきりの患者は、移動経路の監視対象から除外してもよい。
【０１０５】
好ましくは、前記加速度データに基づいて前記アクターの転倒有無を判断する処理と、転倒と判断した場合に、前記アクターの認証情報及び転倒場所を、前記医療施設の職員に通知する処理と、を前記サーバにさらに実行させる。これにより、アクターが転倒した場合に、迅速に救護することができる。
【０１０６】
本開示はまた、医療施設に入退館するアクターを管理する非接触入退館管理システムにおけるサーバであって、前記アクターのステータス情報及び認証情報を格納するデータベースが接続され、前記医療施設内へ入退館する前記アクターを非接触で認証する入退館管理装置とネットワークを介して接続され、前記データベースへの前記ステータス情報及び認証情報の書き込み及び読み出し手段と、前記入退館管理装置の非接触認証データ取得部から送信された前記アクターの認証データと、前記データベース２０に予め格納されている前記アクターの固有情報との一致を確認する処理手段と、前記一致を確認した後、前記データベース中の前記固有情報と前記識別番号とを紐づけて、前記紐づけられた無線通信デバイスを前記入退館管理装置の排出部から排出させる処理手段と、前記データベース中の前記アクターのステータス情報を退館済から入館中に変更する処理手段と、前記回収部に前記無線通信デバイスが回収されたことを確認すると、前記データベースに格納されている前記アクターのステータスを入館中から退館済に変更する処理手段と、前記データベースに格納されている前記アクターの前記入館中及び前記退館済のステータス情報が変更された日付及び時刻を、前記データベースに格納する処理手段と、を備える、サーバを対象とする。
【０１０７】
本開示はまた、医療施設に入退館するアクターを管理する非接触入退館管理システムにおけるサーバに、前記サーバに接続されたデータベースへの前記ステータス情報及び認証情報の書き込み及び読み出し処理と、ネットワークを介して接続された入退館管理装置の非接触認証データ取得部から送信された前記アクターの認証データと、前記データベースに予め格納されている前記アクターの固有情報との一致を確認する処理と、前記一致を確認した後、前記データベース中の前記固有情報と前記識別番号とを紐づけて、前記紐づけられた無線通信デバイスを前記入退館管理装置の排出部から排出させる処理と、前記データベース中の前記アクターのステータス情報を退館済から入館中に変更する処理と、前記回収部に前記無線通信デバイスが回収されたことを確認すると、前記データベースに格納されている前記アクターのステータスを入館中から退館済に変更する処理と、前記データベースに格納されている前記アクターの前記入館中及び前記退館済のステータス情報が変更された日付及び時刻を、前記データベースに格納する処理と、を実行させる、プログラムを対象とする。
【０１０８】
本開示はまた、医療施設に入退館するアクターを管理する非接触入退館管理システムにて管理される入退館管理装置であって、前記入退館管理装置は、前記アクターのステータス情報及び認証情報を格納するデータベースが接続され、前記データベースへの前記ステータス情報及び認証情報の書き込み及び読み出しが可能なサーバにネットワークを介して接続され、前記サーバとデータを送受信する送受信部、前記アクターの認証データを非接触に取得し前記サーバに送信する非接触認証データ取得部、前記アクターが前記医療施設内に入館する際に、前記アクターが携帯可能な、無線通信デバイスを排出する排出部、並びに前記アクターが前記医療施設を退館する際に、前記無線通信デバイスを回収する回収部、を備える、入退館管理装置を対象とする。
【符号の説明】
【０１０９】
１００    非接触入退館管理システム
１    ネットワーク
２    医療施設内ネットワーク
３    医療施設外ネットワーク
１０    サーバ
１１    医療施設内サーバ
１２    クラウドサーバ
２０    データベース
３０    入退館管理装置
３１    送受信部
３２    画像表示部
３３    音声発信部
３４    非接触認証データ取得部
３４１    情報コードリーダ
３４２    生体認証データ取得部
３４３    固有情報入力部
３４４    音情報入力部
３５    排出部
３６    回収部
３７    殺菌ウイルス除去部
３８    サーモグラフィーカメラ
４０    医療施設
４２    送受信機
５０    無線通信デバイス
５１    メモリ
５２    送信手段
５３    ブザー
５４    転倒検知部
６０    アクター端末
【要約】
【課題】医療施設内での感染を従来よりも防止できる入退館管理システムを提供する。
【解決手段】医療施設１０に入退館するアクターのステータス情報及び認証情報を格納するデータベース２０が接続されたサーバ３０とサーバに接続されアクターを非接触で認証する入退館管理装置４０とを備え、非接触認証データ取得部４４から送信されたアクターの認証データとデータベース２０中のアクターの固有情報との一致を確認した後、固有情報に識別番号が紐づけられた無線通信デバイス５０を管理装置４０の排出部３５から排出させる処理、ステータスを入館中に変更する処理、回収部３６にデバイス５０が回収されたことを確認するとステータスを退館済に変更する処理、並びにアクターの入館中及び退館済のステータスが変更された日付及び時刻をデータベースに格納する処理、をサーバに実行させる、非接触入退館管理システム。
【選択図】図１【図１】
0006864280.tif 000002
【図２】
0006864280.tif 000003
【図３】
0006864280.tif 000004
【図４】
0006864280.tif 000005
【図５】
0006864280.tif 000006
【図６】
0006864280.tif 000007
【図７】
0006864280.tif 000008
【図８】
0006864280.tif 000009